(57)【要約】【課題】  視聴者が録画予約した番組をより確実に録画すること。【解決手段】  携帯電話機１０は、番組を録画する録画部１０２と、番組の録画予約情報を登録する録画予約情報登録部１０３と、ハードディスクレコーダ２０に録画予約情報を送信する送信部１０４と、録画予約情報送信後に、当該録画予約情報に対応する番組を録画することが可能であるか否かを判定する録画判定部１１３とを備える。送信部１０４は、録画予約情報に対応する番組を録画することが可能であると録画判定部１１３で判定された場合に、当該録画予約情報に対応する番組の録画を中止させる録画中止通知をハードディスクレコーダ２０に送信する。【選択図】  図２
2008136143.tif 000002
【特許請求の範囲】
【請求項１】
番組を録画する録画手段と、
前記録画手段によって録画される番組の録画予約情報を登録する録画予約情報登録手段と、
前記録画予約情報登録手段によって登録された前記録画予約情報を、番組を録画可能な外部の録画装置に送信する録画予約情報送信手段と、
前記録画予約情報送信手段によって前記録画予約情報が送信された後に、当該録画予約情報に対応する番組を録画することが可能であるか否かを判定する録画判定手段と、
前記録画判定手段によって前記録画予約情報に対応する番組を録画することが可能であると判定された場合に、当該録画予約情報に対応する番組の録画を中止させる録画中止通知を前記録画装置に送信する録画中止通知送信手段と、
を備えることを特徴とする通信端末。
【請求項２】
前記録画判定手段によって前記録画予約情報に対応する番組を録画することが不可能であると判定された場合に、前記録画予約情報に対応する番組の録画を中止する録画中止手段を更に備えることを特徴とする請求項１記載の通信端末。
【請求項３】
前記録画判定手段は、前記録画予約情報に対応する番組が終了するまで前記判定を繰り返し行うことを特徴とする請求項１記載の通信端末。
【請求項４】
番組の受信レベルを測定する受信レベル測定手段を更に備え、
前記録画判定手段は、前記受信レベル測定手段により測定された受信レベルが所定の閾値以上である場合に前記録画予約情報に対応する番組を録画することが可能であると判定することを特徴とする請求項１〜３のいずれか一項に記載の通信端末。
【請求項５】
電池の残量を測定する電池容量測定手段を更に備え、
前記録画判定手段は、前記電池容量測定手段により測定された残量が所定の閾値以上である場合に前記録画予約情報に対応する番組を録画することが可能であると判定することを特徴とする請求項１〜４のいずれか一項に記載の通信端末。
【請求項６】
番組が記録される記録媒体の空き容量を測定する記録容量測定手段を更に備え、
前記録画判定手段は、前記記録容量測定手段により測定された空き容量が前記録画予約情報に対応する番組を格納するために必要な容量以上である場合に当該録画予約情報に対応する番組を録画することが可能であると判定することを特徴とする請求項１〜５のいずれか一項に記載の通信端末。
【請求項７】
現在位置情報を取得する位置情報取得手段と、
前記位置情報取得手段によって取得された現在位置情報に対応する位置が、前記録画予約情報に対応する番組を受信することが可能な地域に含まれるか否かを判定する地域判定手段と、を更に備え、
前記録画判定手段は、前記地域判定手段によって現在位置情報に対応する位置が前記録画予約情報に対応する番組を受信することが可能な地域に含まれると判定された場合に、当該録画予約情報に対応する番組を録画することが可能であると判定することを特徴とする請求項１〜６のいずれか一項に記載の通信端末。
【請求項８】
番組受信用のソフトウェアを起動することが可能であるか否かを判定する起動判定手段をさらに備え、
前記録画判定手段は、前記起動判定手段によって番組受信用のソフトウェアを起動することが可能であると判定された場合に、前記録画予約情報に対応する番組を録画することが可能であると判定することを特徴とする請求項１〜７のいずれか一項に記載の通信端末。
【請求項９】
ネットワークを介して互いに接続可能な通信端末と録画装置とを備える通信システムであって、
前記通信端末が、
番組を録画する録画手段と、
前記録画手段によって録画される番組の録画予約情報を登録する録画予約情報登録手段と、
前記録画予約情報登録手段によって登録された前記録画予約情報を、番組を録画可能な外部の録画装置に送信する録画予約情報送信手段と、
前記録画予約情報送信手段によって前記録画予約情報が送信された後に、当該録画予約情報に対応する番組が録画可能であるか否かを判定する録画判定手段と、
前記録画判定手段によって前記録画予約情報に対応する番組が録画可能であると判定された場合に、当該録画予約情報に対応する番組の録画を中止させる録画中止通知を前記録画装置に送信する録画中止通知送信手段と、を備え、
前記録画装置が、
番組を録画する録画手段と、
前記通信端末によって送信される前記録画予約情報を受信する録画予約情報受信手段と、
前記録画予約情報受信手段によって前記録画予約情報が受信された場合に、当該録画予約情報を登録する録画予約情報登録手段と、
前記通信端末によって送信される前記録画中止通知を受信する録画中止通知受信手段と、
前記録画中止通知受信手段によって前記録画中止通知が受信された場合に、当該録画中止通知に対応する番組の録画を中止させる録画中止手段と、を備える
ことを特徴とする通信システム。
【請求項１０】
通信端末が、番組を録画する録画ステップと、
前記通信端末が、前記録画ステップにおいて録画される番組の録画予約情報を登録する録画予約情報登録ステップと、
前記通信端末が、前記録画予約情報登録ステップにおいて登録された前記録画予約情報を、番組を録画可能な外部の録画装置に送信する録画予約情報送信ステップと、
前記通信端末が、前記録画予約情報送信ステップにおいて前記録画予約情報が送信された後に、当該録画予約情報に対応する番組を録画することが可能であるか否かを判定する録画判定ステップと、
前記通信端末が、前記録画判定ステップにおいて前記録画予約情報に対応する番組を録画することが可能であると判定された場合に、当該録画予約情報に対応する番組の録画を中止させる録画中止通知を前記録画装置に送信する録画中止通知送信ステップと、
を備えることを特徴とする番組録画方法。
【発明の詳細な説明】
【技術分野】
【０００１】
本発明は、通信端末、通信システム及び番組録画方法に関するものである。
【背景技術】
【０００２】
従来から、番組録画可能な機器が複数連動して所望の番組を録画するシステムが知られている。例えば、下記特許文献１には、車載用番組受信端末で番組が受信困難になった場合でも予約した番組を録画することが可能な番組予約システムが開示されている。この番組予約システムでは、まず、車載用番組受信端末が視聴予約又は録画予約されている番組を受信できないと判断した場合に、その番組の録画を指示するための予約データを番組録画再生サーバに送信する。そして、番組録画再生サーバが予約データに基づいて番組の録画を行う。現在、携帯電話機などの移動通信端末に向けて番組を放送するワンセグメント放送が行われており、移動通信端末で番組を録画できることが求められているが、上記番組予約システムはワンセグメント放送に対しても利用可能である。
【特許文献１】特開２００５−１８４３１６号公報
【発明の開示】
【発明が解決しようとする課題】
【０００３】
しかしながら、上記特許文献１に記載の番組予約システムでは、予約した番組が受信可能か否かの検査を当該番組の開始時刻直前に行っているため、予約データの送信に失敗すると車載用番組受信端末及び番組録画再生サーバのどちらでも番組を録画することができない可能性がある。そのため、視聴者、すなわち上記番組予約システムの使用者が所望の番組を視聴できないおそれがある。
【０００４】
本発明は、上記課題を解決する為になされたものであり、視聴者が録画予約した番組をより確実に録画することが可能な通信端末、通信システム及び番組録画方法を提供することを目的とする。
【課題を解決するための手段】
【０００５】
本発明の通信端末は、番組を録画する録画手段と、録画手段によって録画される番組の録画予約情報を登録する録画予約情報登録手段と、録画予約情報登録手段によって登録された録画予約情報を、番組を録画可能な外部の録画装置に送信する録画予約情報送信手段と、録画予約情報送信手段によって録画予約情報が送信された後に、当該録画予約情報に対応する番組を録画することが可能であるか否かを判定する録画判定手段と、録画判定手段によって録画予約情報に対応する番組を録画することが可能であると判定された場合に、当該録画予約情報に対応する番組の録画を中止させる録画中止通知を録画装置に送信する録画中止通知送信手段と、を備えることを特徴とする。
【０００６】
また、本発明の通信システムは、ネットワークを介して互いに接続可能な通信端末と録画装置とを備える通信システムであって、通信端末が、番組を録画する録画手段と、録画手段によって録画される番組の録画予約情報を登録する録画予約情報登録手段と、録画予約情報登録手段によって登録された録画予約情報を、番組を録画可能な外部の録画装置に送信する録画予約情報送信手段と、録画予約情報送信手段によって録画予約情報が送信された後に、当該録画予約情報に対応する番組が録画可能であるか否かを判定する録画判定手段と、録画判定手段によって録画予約情報に対応する番組が録画可能であると判定された場合に、当該録画予約情報に対応する番組の録画を中止させる録画中止通知を録画装置に送信する録画中止通知送信手段と、を備え、録画装置が、番組を録画する録画手段と、通信端末によって送信される録画予約情報を受信する録画予約情報受信手段と、録画予約情報受信手段によって録画予約情報が受信された場合に、当該録画予約情報を登録する録画予約情報登録手段と、通信端末によって送信される録画中止通知を受信する録画中止通知受信手段と、録画中止通知受信手段によって録画中止通知が受信された場合に、当該録画中止通知に対応する番組の録画を中止させる録画中止手段と、を備えることを特徴とする。
【０００７】
また、本発明の番組録画方法は、通信端末が、番組を録画する録画ステップと、通信端末が、録画ステップにおいて録画される番組の録画予約情報を登録する録画予約情報登録ステップと、通信端末が、録画予約情報登録ステップにおいて登録された録画予約情報を、番組を録画可能な外部の録画装置に送信する録画予約情報送信ステップと、通信端末が、録画予約情報送信ステップにおいて録画予約情報が送信された後に、当該録画予約情報に対応する番組を録画することが可能であるか否かを判定する録画判定ステップと、通信端末が、録画判定ステップにおいて録画予約情報に対応する番組を録画することが可能であると判定された場合に、当該録画予約情報に対応する番組の録画を中止させる録画中止通知を録画装置に送信する録画中止通知送信ステップと、を備えることを特徴とする。
【０００８】
このような通信端末、通信システム及び番組録画方法によれば、通信端末から録画装置に録画予約情報が送信されることで、ある番組について通信端末及び録画装置の双方で録画予約が行われる。そして、録画予約された番組（録画予約情報に対応する番組）を録画予約することが可能であると通信端末で判定された場合に、録画装置による録画が中止される。そのため、通信端末及び録画装置のうち少なくとも一方で、録画予約された番組を録画することが可能になる。特に、通信端末が録画予約された番組を録画できない場合に、録画装置でその番組を録画することができる。その結果、視聴者が録画予約した番組をより確実に録画することができる。また、通信端末が録画予約された番組を録画できる場合には、録画装置で同じ番組を録画することが中止されるので、録画装置の録画用記録領域を節約するとともにその録画装置の消費電力を低減することができる。
【０００９】
本発明の通信端末では、録画判定手段によって録画予約情報に対応する番組を録画することが不可能であると判定された場合に、録画予約情報に対応する番組の録画を中止する録画中止手段を更に備えることが好ましい。
【００１０】
この場合、通信端末が録画予約された番組を録画できないと判定すると通信端末における録画が中止されるので、通信端末の録画用記録領域を節約するとともにその通信端末の消費電力を低減することができる。
【００１１】
本発明の通信端末では、録画判定手段は、録画予約情報に対応する番組が終了するまで判定を繰り返し行うことが好ましい。
【００１２】
この場合、通信端末での番組の録画が可能であるか否かの判定は、その番組が終了するまで繰り返し行われる。これにより、通信端末での録画が不可能な状態であったのが、それが可能な状態に変わった場合に、外部の録画装置による録画を中止することができる。その結果、録画装置の録画用記録領域を節約するとともにその録画装置の消費電力を低減することが可能になる。
【００１３】
本発明の通信端末では、番組の受信レベルを測定する受信レベル測定手段を更に備え、録画判定手段は、受信レベル測定手段により測定された受信レベルが所定の閾値以上である場合に録画予約情報に対応する番組を録画することが可能であると判定することが好ましい。
【００１４】
この場合、番組の受信レベルに基づいて通信端末での録画の可否が判定される。このような判定を行うことで、番組の受信レベルが低いために良質な映像が記録できないという事態を回避することができ、録画予約された番組をより確実かつ適切に録画することが可能になる。特に、通信端末が容易に移動可能なものである場合には、その通信端末の受信環境が都度変化する可能性が高いので、番組の受信レベルに基づいて録画の可否を判定することは有効である。
【００１５】
本発明の通信端末では、電池の残量を測定する電池容量測定手段を更に備え、録画判定手段は、電池容量測定手段により測定された残量が所定の閾値以上である場合に録画予約情報に対応する番組を録画することが可能であると判定することが好ましい。
【００１６】
この場合、電池の残量に基づいて通信端末での録画の可否が判定される。このような判定を行うことで、録画途中で電池が切れて最後まで録画できないという事態を回避することができ、録画予約された番組をより確実に録画することが可能になる。特に、通信端末に備えられている電池容量自体が小さい場合には、録画完了前に電池が切れる可能性が高いので、電池の残量に基づいて録画の可否を判定することは有効である。
【００１７】
本発明の通信端末では、番組が記録される記録媒体の空き容量を測定する記録容量測定手段を更に備え、録画判定手段は、記録容量測定手段により測定された空き容量が録画予約情報に対応する番組を格納するために必要な容量以上である場合に当該録画予約情報に対応する番組を録画することが可能であると判定することが好ましい。
【００１８】
この場合、記録媒体の空き容量に基づいて通信端末での録画の可否が判定される。このような判定を行うことで、記録媒体の空き容量が少ないために番組が最後まで録画されないという事態を回避でき、録画予約された番組をより確実に録画することが可能になる。特に、通信端末に備えられている記録媒体の容量が少ない場合には、録画に必要な領域を確保できない可能性が高いので、記録媒体の空き容量に基づいて録画の可否を判定することは有効である。
【００１９】
本発明の通信端末では、現在位置情報を取得する位置情報取得手段と、位置情報取得手段によって取得された現在位置情報に対応する位置が、録画予約情報に対応する番組を受信することが可能な地域に含まれるか否かを判定する地域判定手段と、を更に備え、録画判定手段は、地域判定手段によって現在位置情報に対応する位置が録画予約情報に対応する番組を受信することが可能な地域に含まれると判定された場合に、当該録画予約情報に対応する番組を録画することが可能であると判定することが好ましい。
【００２０】
この場合、録画予約された番組を受信可能な地域に通信端末が存在するか否かが判定され、その判定結果に基づいて通信端末での録画の可否が判定される。このような判定を行うことで、放送地域が異なるために所望の番組が録画されないという事態を回避することができ、録画予約された番組をより確実に録画することが可能になる。特に、通信端末が容易に移動可能なものである場合には、その通信端末の位置が都度変化する可能性が高いので、番組が放送される地域に基づいて録画の可否を判定することは有効である。
【００２１】
本発明の通信端末では、番組受信用のソフトウェアを起動することが可能であるか否かを判定する起動判定手段をさらに備え、録画判定手段は、起動判定手段によって番組受信用のソフトウェアを起動することが可能であると判定された場合に、録画予約情報に対応する番組を録画することが可能であると判定することが好ましい。
【００２２】
この場合、番組受信用のソフトウェアを起動可能か否かが判定され、その判定結果により通信端末での録画の可否が判定される。これにより、所望の番組が録画されないという事態を回避することができ、録画予約した番組をより確実に録画することが可能になる。特に、通信端末が複数のソフトウェアを同時に起動できる場合には、起動するソフトウェア同士の関係で特定のソフトウェアが起動できない可能性が高いので、番組受信用のソフトウェアを起動可能か否かを判定することは有効である。
【発明の効果】
【００２３】
このような通信端末、通信システム及び番組録画方法によれば、視聴者が録画予約した番組をより確実に録画することができる。
【発明を実施するための最良の形態】
【００２４】
以下、添付図面を参照しながら本発明の実施形態を詳細に説明する。なお、図面の説明において同一又は同等の要素には同一の符号を付し、重複する説明を省略する。
【００２５】
まず、図１を用いて、実施形態に係る通信システム１について説明する。図１は、実施形態に係る通信システム１の全体構成を示す図である。通信システム１は、携帯電話機（通信端末）１０と、ハードディスクレコーダ（録画装置）２０と、ネットワーク３０と、放送施設４０とを備える。携帯電話機１０とハードディスクレコーダ２０とは、ネットワーク３０を介して互いに接続可能である。
【００２６】
ネットワーク３０は、移動体通信網及びインターネット（共に図示せず）を備える。なお、ネットワーク３０の構成はこれに限定されず、例えば、構内通信網（Local Area Network、ＬＡＮ）を含むものでもよい。
【００２７】
放送施設４０は、テレビ番組を放送波により発信する。なお、テレビ番組の配信形態はこれに限定されるものではない。例えば、通信システムが、放送施設４０に代えて、テレビ番組をインターネットなどの通信回線を介して配信する配信施設を備えてもよい。
【００２８】
次に、図２を用いて、図１に示す携帯電話機１０について説明する。図２は、図１に示す携帯電話機１０及びハードディスクレコーダ２０の機能構成を示す図である。携帯電話機１０は、機能的構成要素として放送波受信部１０１、録画部（録画手段）１０２、録画予約情報登録部（録画予約情報登録手段）１０３、送信部（録画予約情報送信手段及び録画中止通知送信手段）１０４、記録媒体１０５、ソフトウェア情報格納部１０６、受信レベル測定部（受信レベル測定手段）１０７、位置情報取得部（位置情報取得手段）１０８、地域判定部（地域判定手段）１０９、電池容量測定部（電池容量測定手段）１１０、記録容量測定部（記録容量測定手段）１１１、起動判定部（起動判定手段）１１２、録画判定部（録画判定手段）１１３及び録画中止部（録画中止手段）１１４を備えている。
【００２９】
放送波受信部１０１は、放送施設４０から発信された放送波をアンテナ（図示せず）を介して受信し、その放送波を復号する。そして、放送波受信部１０１は、復号された信号、すなわちテレビ番組のデータを録画部１０２、受信レベル測定部１０７及び位置情報取得部１０８に出力する。
【００３０】
録画部１０２は、記録媒体１０５に格納されている録画予約情報又は携帯電話機１０の使用者が入力部（図示せず）を介して入力した録画指示に基づいて、放送波受信部１０１から入力されたテレビ番組のデータを記録媒体１０５に格納する。すなわち、録画部１０２は、テレビ番組を録画する。
【００３１】
録画予約情報登録部１０３は、携帯電話機１０の使用者が入力部（図示せず）を介して入力した録画予約指示を受け付け、その録画予約指示を示す録画予約情報を記録媒体１０５に格納する（登録する）。また、録画予約情報登録部１０３は、録画予約情報を送信部１０４に出力する。録画予約情報には、例えば、番組を識別する番組ＩＤと、番組名と、番組が放送されるチャンネルと、放送系列と、番組開始日時と、番組終了日時と、番組が放送される地域（放送地域）とが対応付けられたものが該当する。例えば、録画予約情報登録部１０３は、番組ＩＤ「番組０１」、番組名「ニュースＸ」と、チャンネル「１ｃｈ」と、放送系列「系列Ａ」と、番組開始日時「２００６年１１月１日２２：００」と、番組終了日時「２００６年１１月１日２３：００」と、放送地域「関東地方」とが対応付けられた番組予約情報が記録媒体１０５に格納されるとともに送信部１０４に出力される。
【００３２】
送信部１０４は、録画予約情報登録部１０３から入力された録画予約情報、録画判定部１１３から入力された録画有効通知及び録画中止部１１４から入力された録画中止通知をハードディスクレコーダ２０に送信する。
【００３３】
記録媒体１０５は、録画されたテレビ番組のデータ、録画予約情報などが格納される部分である。この記録媒体１０５は、ソフトウェア情報格納部１０６を有する。
【００３４】
ソフトウェア情報格納部１０６は、携帯電話機１０で動作するソフトウェア（例えば、メール送受信用アプリケーションやＷｅｂ閲覧用アプリケーションなど）に関するソフトウェア情報を格納する。具体的には、ソフトウェア情報格納部１０６は、ソフトウェアを識別するソフトウェアＩＤと、番組受信用アプリケーションとの同時起動が可能か否かを示す起動フラグとが対応付けられたデータを１以上格納する。例えば、ソフトウェアＩＤ「アプリケーションＡ」と起動フラグ「同時起動可能」とが対応付けられたソフトウェア情報、及び、ソフトウェアＩＤ「アプリケーションＢ」と起動フラグ「同時起動不可」とが対応付けられたソフトウェア情報がソフトウェア情報格納部１０６に格納される。
【００３５】
受信レベル測定部１０７は、放送波受信部１０１が受信した放送波の受信レベル、すなわち、テレビ番組の受信レベルを測定する。
【００３６】
位置情報取得部１０８は、放送波受信部１０１から入力されたテレビ番組のデータに基づいて、携帯電話機１０の現在位置を示す現在位置情報を取得し、その現在位置情報を地域判定部１０９に出力する。このために、位置情報取得部１０８は、予め、放送系列とチャンネル（チャンネル周波数）とが対応付けられたデータを複数有するチャンネルリストを放送地域別に保持しておく。そして、位置情報取得部１０８は、テレビ番組のデータに含まれる放送系列とチャンネルとの組合せを含むチャンネルリストを取得し、そのチャンネルリストを識別する放送地域を携帯電話機１０の現在位置と決定する。
【００３７】
例えば、位置情報取得部１０８は、放送系列「系列１」とチャンネル「１ｃｈ」とが対応付けられたデータと、「系列２」とチャンネル「ｃｈ４」とが対応付けられたデータとを含むチャンネルリストを保持する。なお、このチャンネルリストは、放送地域「東京」で識別可能であるとする。ここで、位置情報取得部１０８がテレビ番組のデータから放送系列「系列２」及びチャンネル「ｃｈ４」を取得した場合は、放送地域「東京」で識別可能なチャンネルリストが探索され、携帯電話機１０の現在位置が「東京」であると決定され、現在位置情報「東京」が地域判定部１０９に出力される。なお、現在位置情報とされる放送地域の設定方法は都道府県単位に限定されない。例えば、「関東地方」などのように地方単位に設定してもよいし、「京都、大阪、愛知」などのように複数の都道府県の集合としてもよい。
【００３８】
なお、携帯電話機１０の現在位置の取得方法はこれに限定されず、例えば、携帯電話機１０がＧＰＳ（全地球測位システム：Global Positioning System）受信機を備え、このＧＰＳ受信機を用いて導出した緯度経度に基づいて携帯電話機の現在位置情報を生成してもよい。
【００３９】
地域判定部１０９は、位置情報取得部１０８から入力された現在位置情報と録画判定部１１３から入力された地域判定指示とに基づいて、録画予約した番組を携帯電話機１０が現在位置で受信することが可能か否かを判断する。具体的には、現在位置情報と地域判定指示に含まれる放送地域とを比較し、現在位置情報に対応する地域が放送地域（番組を受信することが可能な地域）に含まれる場合に番組を受信可能であると判定する。そして、地域判定部１０９は、入力された地域判定指示に対応する地域判定結果を録画判定部１１３に出力する。これに対し、現在位置情報に対応する地域が放送地域に含まれない場合には、地域判定部１０９は、受信不可であることを示す地域判定結果を録画判定部１１３に出力する。
【００４０】
例えば、現在位置情報「東京」と放送地域「関東地方」を含む地域判定指示とが入力された場合、地域判定部１０９は、「東京」が「関東地方」に含まれると判断し、受信可能であることを示す地域判定結果を録画判定部１１３に出力する。また、現在位置情報「大阪」と放送地域「関東地方」を含む地域判定指示とが入力された場合、地域判定部１０９は、「大阪」が「関東地方」に含まれないと判断し、受信不可であることを示す地域判定結果を録画判定部１１３に出力する。
【００４１】
電池容量測定部１１０は、充電池（図示せず）の残量を測定する。
【００４２】
記録容量測定部１１１は、記録媒体１０５の空き容量を測定する。
【００４３】
起動判定部１１２は、録画判定部１１３から入力された起動判定指示に基づいて携帯電話機１０上で稼働しているソフトウェアを取得し、その取得結果に基づいて番組受信用アプリケーションが起動可能か否かを判定する。そして、起動判定部１１２は、起動判定指示に対応する判定結果（起動判定結果）を録画判定部１１３に出力する。具体的には、まず、起動判定部１１２は、携帯電話機１０上で動作しているソフトウェアを検出し、そのソフトウェアに対応するソフトウェアＩＤに基づいてソフトウェア情報格納部１０６を検索し起動フラグを取得する。そして、取得された起動フラグがすべて「同時起動可能」であった場合、起動判定部１１２は、番組受信用アプリケーションが起動可能であると判定する。一方、取得された起動フラグの中に「同時起動不可」のものが１つ以上含まれていた場合、起動判定部１１２は、番組受信用アプリケーションが起動不可能であると判定する。
【００４４】
録画判定部１１３は、記録媒体１０５に格納されている録画予約情報に対応する番組の放送開始１分前になった時に、その番組が録画可能であるか否かを判定する。この判定は、送信部１０４が録画予約情報をハードディスクレコーダ２０に送信した後に行われる。具体的には、録画判定部１１３は、受信レベル測定部１０７で測定された放送波の受信レベルが所定の閾値（以下「受信レベル閾値」という）以上であり、地域判定部１０９から入力された地域判定結果が受信可能であることを示すものであり、電池容量測定部１１０で測定された充電池（図示せず）の残量が所定の閾値（以下「電池残量閾値」という）以上であり、記録容量測定部１１１で測定された記録媒体１０５の空き容量が録画予約情報に対応する番組を格納するために必要な容量以上であり、かつ、起動判定部１１２から入力された起動判定結果が同時起動可能であることを示すものである場合のみ、録画予約情報に対応する番組が録画可能であると判定する。
【００４５】
このために、録画判定部１１３は、受信レベル閾値と電池残量閾値とを予め読み出しておく。また、録画判定部１１３は、記録媒体１０５を検索して近い将来に録画が開始される予定の番組についての録画予約情報を取得する。
【００４６】
次に、録画判定部１１３は、取得した録画予約情報に対応する番組の受信レベルを受信レベル測定部１０７から取得するとともに、充電池（図示せず）の残量を電池容量測定部１１０から取得し、更に、記録媒体１０５の空き容量を記録容量測定部１１１から取得する。そして、録画判定部１１３は、受信レベル測定部１０７から取得した受信レベルが受信レベル閾値以上であるか否かを判定するとともに、電池容量測定部１１０から取得した充電池（図示せず）の残量が電池残量閾値以上か否かを判定する。更に、録画判定部１１３は、録画予約情報に対応する番組を格納するために必要な容量を当該録画予約情報に含まれる番組開始日時及び番組終了日時、すなわち予定録画時間に基づいて算出し、記録媒体１０５の空き容量が算出した容量以上であるか否かを判定する。
【００４７】
また、録画判定部１１３は、取得した録画予約情報に含まれている番組ＩＤ及び放送地域を用いて地域判定指示を作成し地域判定部１０９に出力するとともに、起動判定部１１２に番組受信用アプリケーションが起動か否かを判定させるための起動判定指示を起動判定部１１２に出力する。そして、録画判定部１１３は、その地域判定指示に応じて地域判定部１０９から入力される地域判定結果と、その起動判定指示に応じて起動判定部１１２から入力される起動判定結果とを受け付ける。
【００４８】
最後に、録画判定部１１３は、受信レベル、電池残量及び記録媒体１０５の空き容量についての各判定結果、地域判定結果、並びに起動判定結果に基づいて、録画予約情報に対応する番組が録画可能か否かを判定する。そして、録画可能と判定された場合、録画判定部１１３は、ハードディスクレコーダ２０による録画予約情報に対応する番組の録画を中止させるための録画中止通知を送信部１０４に出力する。この録画中止通知には、録画予約情報を識別するためのデータ（例えば番組ＩＤや録画予約情報そのもの）が含まれる。一方、録画不可と判定された場合、録画判定部１１３は、判定された録画予約情報を取り消すため、又は、判定された録画予約情報に対応する録画を中止するための取消指示を録画中止部１１４に出力する。なお、録画判定部１１３による上記の処理は、録画予約情報に対応する番組が終了するまで所定時間毎に繰り返し行われる。
【００４９】
録画中止部１１４は、録画判定部１１３から入力された取消指示に基づいて、記録媒体１０５に格納されている録画予約情報を削除する。また、録画予約情報に対応する番組の録画が既に開始されている場合、録画中止部１１４はその番組の録画を中止する。すなわち、録画中止部１１４は、録画判定部１１３により録画予約情報に対応する番組を録画することが不可能であると判定された場合に、その番組の録画を中止する。そして、録画中止部１１４は、ハードディスクレコーダ２０による録画予約情報に対応する番組の録画を継続させるための録画有効通知を送信部１０４に出力する。この録画有効通知には、録画予約情報を識別するためのデータ（例えば番組ＩＤや録画予約情報そのもの）が含まれる。
【００５０】
次に、図２を用いて、図１に示すハードディスクレコーダ２０について説明する。ハードディスクレコーダ２０は、機能的構成要素として受信部（録画予約情報受信手段及び録画中止通知受信手段）２１、録画予約情報登録部（録画予約情報登録手段）２２、録画中止部（録画中止手段）２３及び録画部（録画手段）２４を備えている。
【００５１】
受信部２１は、携帯電話機１０から送信された録画予約情報、録画中止通知及び録画有効通知を受信する。そして、受信部２１は、録画予約情報を録画予約情報登録部２２に出力し、録画中止通知を録画中止部２３に出力し、録画有効通知を録画予約情報登録部２２及び録画部１０２に出力する。
【００５２】
録画予約情報登録部２２は、受信部２１から入力された録画予約情報を記録媒体（図示せず）に格納する（登録する）。また、録画予約情報登録部２２は、受信部２１から入力された録画有効通知に基づいて、記録媒体（図示せず）に格納されている録画予約情報をそのまま保持する。
【００５３】
録画中止部２３は、受信部２１から入力された録画中止通知に対応する記録媒体（図示せず）上の録画予約情報を削除する。また、録画予約情報に対応する番組の録画が既に開始されている場合、録画中止部２３はその番組の録画を中止する。すなわち、録画中止部２３は、録画中止通知に対応する番組の録画を中止させる。
【００５４】
録画部２４は、記録媒体（図示せず）に格納されている録画予約情報又はハードディスクレコーダ２０の使用者が入力部（図示せず）を介して入力した録画指示に基づいて、アンテナＡＮＴを介して受信したテレビ番組のデータを録画する。また、録画部２４は、受信部２１から入力された録画有効通知に基づいて、実行中の録画をそのまま継続する。
【００５５】
次に、図３及び４を用いて、図１に示す携帯電話機１０及びハードディスクレコーダ２０の動作について説明するとともに、本実施形態に係る番組録画方法について説明する。図３は、携帯電話機１０とハードディスクレコーダ２０との連携を示すシーケンス図であり、特に録画予約した番組を携帯電話機１０側で録画する場合を示すものである。また、図４は、図３に示す録画判定処理の詳細を表すフローチャートである。
【００５６】
まず、携帯電話機１０の録画予約情報登録部１０３において録画予約情報が登録されることで録画予約が行われ（ステップＳ１０、録画予約情報登録ステップ）、送信部１０４から録画予約情報が送信される（ステップＳ１２、録画予約情報送信ステップ）。この録画予約情報はハードディスクレコーダ２０の受信部２１により受信され、録画予約情報登録部２２において登録される（ステップＳ１４）。これにより、携帯電話機１０とハードディスクレコーダ２０の双方で同一の番組が録画予約される。その後、携帯電話機１０の録画判定部１１３において録画判定処理が行われる（ステップＳ１６、録画判定ステップ）。ここで、携帯電話機１０での録画が可能と判定された場合は（ステップＳ１６８）、送信部１０４から録画中止通知が送信されるとともに（ステップＳ２０、録画中止通知送信ステップ）、録画部１０２により録画が行われる（ステップＳ２２、録画ステップ）。一方、ハードディスクレコーダ２０側では、録画中止通知に基づいて、録画中止部２３により録画予約情報に対応する番組の録画が中止される（ステップＳ２４）。
【００５７】
録画判定部１１３での録画判定処理は、録画予約情報に対応する番組の録画開始（放送開始）１分前になった場合に開始される（ステップＳ１６１）。まず、録画部１０２が録画待機状態へ移行する（ステップＳ１６２）。これは、録画部１０２が番組開始日時に録画を開始することができるようにするための処理である。この処理は、録画部１０２自身により行われてもよいし、録画判定部１１３が録画部１０２に指示することで行われてもよい。
【００５８】
次に、受信レベル測定部１０７により測定された受信レベルが受信レベル閾値以上か否かが判定される（ステップＳ１６３）。ここで、その受信レベルが受信レベル閾値以上である場合には（ステップＳ１６３；ＹＥＳ）、充電池（図示せず）の残量が電池残量閾値以上か否かが判定される（ステップＳ１６４）。そして、その残量が電池残量閾値以上である場合には（ステップＳ１６４；ＹＥＳ）、録画予約情報に対応する番組の録画に必要な記録媒体１０５の空き容量を確保できるか否かが判定される（ステップＳ１６５）。
【００５９】
記録媒体１０５の空き容量を十分に確保できると判定された場合には（ステップＳ１６５；ＹＥＳ）、携帯電話機１０の現在位置が録画予約された番組の放送地域に含まれるか否かが判定される（ステップＳ１６６）。ここで、携帯電話機１０の現在位置がその放送地域に含まれる場合には（ステップＳ１６６；ＹＥＳ）、番組受信用アプリケーションを起動可能か否かが判定される（ステップＳ１６７）。そして、番組受信用アプリケーションが起動可能であれば（ステップＳ１６７；ＹＥＳ）、録画予約された番組を録画可能であると判定される（ステップＳ１６８）。
【００６０】
一方、測定された受信レベルが受信レベル閾値未満である場合（ステップＳ１６３；ＮＯ）、充電池（図示せず）の残量が電池残量閾値未満である場合（ステップＳ１６４；ＮＯ）、必要な記録媒体１０５の空き容量を確保できない場合（ステップＳ１６５；ＮＯ）、携帯電話機１０の現在位置が録画予約された番組の放送地域に含まれない場合（ステップＳ１６６；ＮＯ）、又は、番組受信用アプリケーションの起動が不可能であると判定された場合（ステップＳ１６７；ＮＯ）には、携帯電話機１０での録画が不可能であると判定される（ステップＳ１６９）。
【００６１】
図５は、携帯電話機１０とハードディスクレコーダ２０との連携を示すシーケンス図であり、特に録画予約した番組をハードディスクレコーダ２０側で録画する場合を示すものである。携帯電話機１０により録画予約が行われてからその携帯電話機１０で録画判定処理が行われるまでの動作は（ステップＳ１０〜ステップＳ１６）、図３に示した場合と同様である。その後、携帯電話機１０での録画が不可能と判定された場合は（ステップＳ１６９）、送信部１０４から録画有効通知が送信されるとともに（ステップＳ３０）、録画中止部１１４により録画予約情報に対応する番組の録画が中止される（ステップＳ３２）。一方、ハードディスクレコーダ２０側では、録画有効通知に基づいて、録画部２４により録画が開始される（ステップＳ３４）。
【００６２】
本実施形態に係る携帯電話機１０及び通信システム１によれば、その携帯電話機１０からハードディスクレコーダ２０に録画予約情報が送信されることで、ある番組について携帯電話機１０及びハードディスクレコーダ２０の双方で録画予約が行われる。そして、録画予約された番組を録画予約することが可能であると携帯電話機１０で判定された場合に、ハードディスクレコーダ２０による録画が中止される。そのため、携帯電話機１０及びハードディスクレコーダ２０のうち少なくとも一方で、録画予約された番組を録画することが可能になる。特に、携帯電話機１０が録画予約された番組を録画できない場合に、ハードディスクレコーダ２０でその番組を録画することができる。その結果、視聴者が録画予約した番組をより確実に録画することができる。また、携帯電話機１０が録画予約された番組を録画できる場合には、ハードディスクレコーダ２０で同じ番組を録画することが中止されるので、ハードディスクレコーダ２０の録画用記録領域を節約するとともにそのハードディスクレコーダ２０の消費電力を低減することができる。
【００６３】
また、本実施形態に係る携帯電話機１０によれば、録画判定部１１３が録画予約された番組を録画できないと判定すると、録画中止部１１４によりその番組の録画が中止される。これにより、携帯電話機１０の録画用記録領域を節約するとともにその携帯電話機１０の消費電力を低減することができる。
【００６４】
また、本実施形態に係る携帯電話機１０によれば、録画判定部１１３による判定は、録画予約された番組が終了するまで繰り返し行われる。これにより、携帯電話機１０での録画が不可能な状態であったのが、それが可能な状態に変わった場合に、ハードディスクレコーダ２０による録画を中止することができる。その結果、ハードディスクレコーダ２０の録画用記録領域を節約するとともにハードディスクレコーダ２０の消費電力を低減することが可能になる。
【００６５】
また、本実施形態に係る携帯電話機１０によれば、録画判定部１１３による判定は、録画予約情報に対応する番組の放送開始１分前になった時に開始される。これにより、番組開始時点での携帯電話機１０の録画環境に近い環境に基づいて判定を行うことが可能となるので、判定の精度がより高まり、携帯電話機１０の録画環境に応じて録画する機器を適切に選択することができる。その結果、視聴者が録画予約した番組をより確実に録画することができる。
【００６６】
また、本実施形態に係る携帯電話機１０によれば、番組の受信レベルに基づいて携帯電話機１０での録画の可否が判定される。このような判定を行うことで、番組の受信レベルが低いために良質な映像が記録できないという事態を回避することができ、録画予約された番組をより確実かつ適切に録画することが可能になる。携帯電話機１０の受信環境は都度変化する可能性が高いので、番組の受信レベルに基づいて録画の可否を判定することは有効である。
【００６７】
また、本実施形態に係る携帯電話機１０によれば、充電池（図示せず）の残量に基づいて携帯電話機１０での録画の可否が判定される。このような判定を行うことで、録画途中で電池が切れて最後まで録画できないという事態を回避することができ、録画予約された番組をより確実に録画することが可能になる。特に、携帯電話機１０に備えられている充電池（図示せず）の容量自体が小さい場合には、録画完了前に電池が切れる可能性が高いので、電池の残量に基づいて録画の可否を判定することは有効である。
【００６８】
また、本実施形態に係る携帯電話機１０によれば、記録媒体１０５の空き容量に基づいて携帯電話機１０での録画の可否が判定される。このような判定を行うことで、記録媒体１０５の空き容量が少ないために番組が最後まで録画されないという事態を回避でき、録画予約された番組をより確実に録画することが可能になる。特に、記録媒体１０５の容量が少ない場合には、録画に必要な領域を確保できない可能性が高いので、記録媒体１０５の空き容量に基づいて録画の可否を判定することは有効である。
【００６９】
また、本実施形態に係る携帯電話機１０によれば、録画予約された番組の放送地域に携帯電話機１０が存在するか否かが判定され、その判定結果に基づいて携帯電話機１０での録画の可否が判定される。このような判定を行うことで、放送地域が異なるために所望の番組が録画されないという事態を回避することができ、録画予約された番組をより確実に録画することが可能になる。特に、携帯電話機１０の位置は都度変化する可能性が高いので、番組が放送される地域に基づいて録画の可否を判定することは有効である。
【００７０】
また、本実施形態に係る携帯電話機１０によれば、番組受信用アプリケーションを起動可能か否かが判定され、その判定結果により携帯電話機１０での録画の可否が判定される。これにより、所望の番組が録画されないという事態を回避することができ、録画予約した番組をより確実に録画することが可能になる。特に、携帯電話機１０が多数のソフトウェアを有している場合には、起動するソフトウェア同士の関係で番組受信用アプリケーションが起動できない可能性が高いので、番組受信用アプリケーションを起動可能か否かを判定することは有効である。
【００７１】
以上、本発明をその実施形態に基づいて詳細に説明した。しかし、本発明は上記実施形態に限定されるものではない。本発明は、その要旨を逸脱しない範囲で以下のような様々な変形が可能である。
【００７２】
上記実施形態では、携帯電話機１０での録画が不可能であると判定された場合に、送信部１０４からハードディスクレコーダ２０に録画有効通知が送信されたが、この場合の携帯電話機１０とハードディスクレコーダ２０の連携手法はこれに限定されない。例えば、携帯電話機１０が録画有効通知の送信を行わず、ハードディスクレコーダ２０は、録画中止通知を受信しない限り録画予約された番組を録画するようにしてもよい。この場合、録画有効通知を行う処理が省略されることで携帯電話機１０及びハードディスクレコーダ２０双方の処理がより簡易になるとともに、ネットワーク３０の負荷が軽減される。
【００７３】
上記実施形態では、録画判定部１１３は、録画予約情報に対応する番組の放送開始１分前からその番組の放送終了まで判定を行うが、判定を行う時期はこれに限定されない。例えば、判定開始時期を放送開始２、３分前に設定してもよい。また、判定終了時期を放送開始５分後に設定してもよい。判定終了時期を上記実施形態よりも早めることで、録画判定処理による携帯電話機１０の負荷を低減することができるとともに、携帯電話機１０とハードディスクレコーダ２０のどちらで録画を行うかを早期に決定することが可能となる。更に、判定終了時期を番組放送開始時としてもよい。この場合、携帯電話機１０又はハードディスクレコーダ２０で行われている録画は、番組放送終了時まで継続される。すなわち、開始された録画が途中で中止される事態を回避することができる。
【００７４】
上記実施形態では、録画判定部１１３が録画予約情報に対応する番組を録画できないと判定すると、録画中止部１１４が直ちにその番組の録画を中止する一方で、録画判定部１１３が録画予約情報に対応する番組を録画可能と判定すると、送信部１０４が直ちに録画中止通知をハードディスクレコーダ２０に送信したが、録画判定部１１３の判定に基づく動作はこれに限定されない。例えば、録画判定部１１３が、所定の時間内に所定回数以上、番組を録画できないと判定した場合に初めて録画中止部１１４が直ちにその番組の録画を中止する一方で、録画判定部１１３が、所定の時間内に所定回数以上、番組を録画可能と判定した場合に初めて送信部１０４が録画中止通知をハードディスクレコーダ２０に送信してもよい。この場合、携帯電話機１０の録画環境を所定時間継続して監視した上で最終的な判定が下されるので、突発的ないしは瞬間的な録画環境の変化に影響されずに、録画する機器をより適切に選択することができる。
【００７５】
また、録画判定部１１３が、所定回数以上連続して、番組を録画できないと判定した場合に初めて録画中止部１１４が直ちにその番組の録画を中止する一方で、録画判定部１１３が、所定回数以上連続して、番組を録画可能と判定した場合に初めて送信部１０４が録画中止通知をハードディスクレコーダ２０に送信してもよい。この場合も、突発的ないしは瞬間的な録画環境の変化に影響されずに、録画する機器をより適切に選択することができる。
【００７６】
上記実施形態では、受信レベル、充電池（図示せず）の残量、記録媒体１０５の空き容量、携帯電話機１０の現在位置と録画予約情報に対応する番組の放送地域との関係、及び、番組受信用アプリケーション起動の可能／不可能の５つの条件に基づいて録画判定処理を行ったが、これらのうち少なくとも１つにより録画判定処理を行ってもよい。
【００７７】
上記実施形態では、受信レベル閾値及び電池容量閾値を予め読み出したが、これらの値を動的に設定してもよい。例えば、録画予約情報に録画画質に関する設定が含まれていれば、その設定に基づいて受信レベル閾値を都度変更してもよい。また、録画予約された番組の予定放送時間から消費される電池の容量を算出し、算出された容量を電池用良識位置としてもよい。また、携帯電話機１０の現在位置と番組の放送地域との関係を導出する手法、及び、番組受信用アプリケーションの起動の可否を導出する手法は、上記実施形態に示したものに限定されない。
【図面の簡単な説明】
【００７８】
【図１】実施形態に係る通信システムの全体構成を示す図である。
【図２】図１に示す携帯電話機及びハードディスクレコーダの機能構成を示す図である。
【図３】図１に示す携帯電話機とハードディスクレコーダとの連携を示すシーケンス図である。
【図４】図３に示す録画判定処理の詳細を表すフローチャートである。
【図５】図１に示す携帯電話機とハードディスクレコーダとの連携を示すシーケンス図である。
【符号の説明】
【００７９】
１…通信システム、１０…携帯電話機（通信端末）、２０…ハードディスクレコーダ（録画装置）、２１…受信部（録画予約情報受信手段及び録画中止通知受信手段）、２２…録画予約情報登録部（録画装置の録画予約情報登録手段）、２３…録画中止部（録画装置の録画中止手段）、２４…録画部（録画装置の録画手段）、３０…ネットワーク、１０２…録画部（通信端末の録画手段）、１０３…録画予約情報登録部（通信端末の録画予約情報登録手段）、１０４…送信部（録画予約情報送信手段及び録画中止通知送信手段）、１０５…記録媒体、１０７…受信レベル測定部（受信レベル測定手段）、１０８…位置情報取得部（位置情報取得手段）、１０９…地域判定部（地域判定手段）、１１０…電池容量測定部（電池容量測定手段）、１１１…記録容量測定部（記録容量測定手段）、１１２…起動判定部（起動判定手段）、１１３…録画判定部（起動判定手段）、１１４…録画中止部（録画中止手段）。
【図１】
2008136143.tif 000003
【図２】
2008136143.tif 000004
【図３】
2008136143.tif 000005
【図４】
2008136143.tif 000006
【図５】
2008136143.tif 000007